【事件の表示】
　平成４年特許願第１４５０６１号「アウタロータ形回転電機の固定子」拒絶査定に対する審判事件（平成５年１１月２６日出願公開、特開平５−３１６６７６）について、次のとおり審決する。
【結論】
　本件審判の請求は、成り立たない。
【理由】
１．手続の経緯・本願発明
　本願は、平成４年５月１２日の出願であって、その発明（以下、「本願発明」という。）は、平成８年７月１９日付け及び平成９年２月６日付けの手続補正書によって補正された明細書及び図面の記載からみて、特許請求の範囲に記載された次のとおりのものと認める。
　「固定子鉄心に対して軸方向の両端側から装着される回路基板側及び反回路基板側に配置される１対の絶縁成型品、６個の端子体、上記回路基板側の絶縁成型品のボス部に設けた前記端子体を挿入するために形成した６個の切欠部と少なくとも１個の凸又は凹の位置決め部及び駆動回路用の回路基板とを備え、固定子巻線の各磁極に対する各相の巻線の巻線作業を上記各端子体の内の所定のものを介して行うようにし、一方、上記回路基板に上記６個の端子体に対応した６個の端子体装着用の切欠部と上記回路基板側の絶縁成型品の位置決め部に対応する位置決め嵌合部を設け、このように構成した固定子鉄心、１対の絶縁成型品から成る固定子本体と上記回路基板とを上記回路基板の位置決め嵌合部と回路基板側の絶縁成型品の位置決め部とを対向位置において挿入、装着後、所要の電気的接続を行うようにしたアウタロータ形回転電機の固定子において、上記各端子体は夫々本体の略中央部から１８０度折り返すように折り返し部を設けた後、本体より分岐した本体よりは幅の小さい所定角度傾斜させた部分とこれに連通する平行となる部分より成る足部を備え、平行となる足部の部分とこれに対向する本体間の間隙を固定子巻線又はそのコイル端挿入用の空間部となし、本体の端子体挿入方向の少なくとも一側面部に鋸歯状となる凹凸部分を形成するようにしたことを特徴とするアウタロータ形回転電機の固定子。」
２．引用例
　これに対して、原査定の拒絶理由で引用された特開平３−１５９５３５号公報（以下、「刊行物１」という。）及び特開昭５５−１２５０４７号公報（以下、「刊行物２」という。）には、次のとおりの記載が認められる。
▲１▼刊行物１
　「従来の電動機の固定子としては、例えば実開昭５９−９７５５３号公報のものがあり、第５図（イ）および（ロ）に示すように固定子鉄心１１と巻線１２の間の絶縁として、スロット１３内面とエンドコア部１４を絶縁する部分を有するスロット絶縁成型品１５を備え、このスロット絶縁成型品１５のエンドコア部１４を絶縁する部分には、巻線の位置規制および案内をするための壁１６，１７を固定子鉄心１１の内径側と外径側に設け、前記内径側の壁１６の先端突出部１６ａを結線用絶縁板１８に設けた孔１９に貫通させると共に、外径側の壁１７の先端部に結線用絶縁板１８を当て、かつ内径側の壁１６の先端突出部１６ａを結線用絶縁板１８に結線固定するようにして構成していた。」（第２頁左上欄第３〜１７行目）
　「本発明は次の構成よりなる第１の絶縁成型品および第２の絶縁成型品を備え、これらの各絶縁成型品の平面部を固定子鉄心の左、右端面に当てがい、固定子鉄心のスロットに対しては第１および第２の絶縁成型品の上記各スロット絶縁体を左、右より装着するようにし、各絶縁成型品を上記固定子鉄心に取り付け、上記固定子鉄心のスロット絶縁部が装着されたスロットに巻線を巻回して装着し、その巻線の引出し線が接続されるプリント基板は上記第１の絶縁成型品の支持部により固定子鉄心と並行の位置で対向して固定するように構成した回転電機の固定子に関する。
　イ．固定子鉄心の一方の端部に当てがわれる複数個の縁部を有し、上記鉄心の端面に当てがわれる環状の平面部と、この平面部から軸方向に突出され固定子鉄心のスロットに対応する円周方向の位置にスロットの長さの略半分長よりやや大きめの長さのスロット絶縁体、上記平面部に対しスロット絶縁部とは逆方向に複数個突出するよう設けたプリント基板の支持体、上記平面部から支持体と同方向に突設した温度保護装置の収納部とを備えるように一体的に成型した第１の絶縁成型品。
　ロ．上記第１の絶縁成型品からプリント基板の支持体と収納部の部分を取り除いた構成に成型した第２の絶縁成型品。」（第２頁右上欄第１０行目〜同頁左下欄第１５行目）
　「２５ａ１〜２５ａ５はプリント基板２６の支持体で、第４図に代表で支持体２５ａ１を示すように軸方向に突出するように設けられ、これら５個の支持体２５ａ１〜２５ａ５によってプリント基板２６を固定支持する。」（第３頁左上欄第１２〜１６行目）
　また、第３図には、プリント基板２６上の、第１の絶縁成型品２１に設けられた支持体２５ａ１〜２５ａ５に対応する箇所に、当該支持体２５ａ１〜２５ａ５を嵌合する穴部（嵌合部）が設けられたものが記載されている。
　上記の記載を参酌すれば、刊行物１には、固定子鉄心Ｔに対して軸方向の両端側から装着されるプリント基板側及び反プリント基板側に配置される１対の絶縁成型品２１，２８、上記プリント基板側の絶縁成型品２１に設けた支持体２５ａ１〜２５ａ５及びプリント基板２６とを備え、上記プリント基板２６に上記プリント基板側の絶縁成型品２１の支持体２５ａ１〜２５ａ５に対応する嵌合部を設け、このように構成した固定子鉄心Ｔ、１対の絶縁成型品２１，２８から成る固定子本体と上記プリント基板２６を上記プリント基板２６の嵌合部とプリント基板側の絶縁成型品２１の支持体２５ａ１〜２５ａ５とを対向位置において挿入、装着した回転電機の固定子が記載されているものと認められる。
▲２▼刊行物２
　「本発明は外転形回転電動機の固定子に係り、特にその端子の配置に関する。
　換気扇用電動機等に使用される外転形回転電動機として、第１図に示す如きものが提案されている。すなわち、第１図において、１は固定子鉄心、２は固定子鉄心１の外周部に設けられているスロット内に巻装された固定子巻線、３は固定子鉄心１の一端中心部から軸方向に延びる円筒状の端子ホルダで、この端子支持筒３の鉄心１から離れた側の端部には、固定子巻線２からの巻線端部４と接続されるフック状の端子５が、その一端が外周部から径方向外方に突出し、他端が端面から軸方向に突出するように、設けられている。」（第１頁右欄第１３行目〜第２頁左上欄第５行目）
　「第２図は本発明に使用した端子支持筒３であるが、端子５が図の様に設けられている。又、第３図にも示す様に端子支持筒３には、巻線作業の位置決定に使用する切欠部６が設けられている。
　次に第４図に本発明に使用した端子５を詳細図により説明すると、７は固定子巻線２の巻線端部４を接続する突起部であり、８は端子支持筒３に嵌入した場合に抜け止めを防止する引掛部である。切欠部と引掛部は相反する方向に設けられている。この様にした場合、端子支持筒には開口部９を設ける事が可能であり、金型製作上、非常に有利となる。又、端子５の軸方向の位置きめとしては、端子支持筒３に設けられた溝部１０は端子支持筒３の途中で止まっており、ストッパーの役目をしている。
　以上述べた様な、端子支持筒３、端子５を固定鉄心１に固定し、巻線を施こすが、これを第６図、第７図について固定子巻線の巻線作業と共に説明する。
　まず、固定子鉄心１のスロット内１１に内側巻線２Ａを巻装するには、第６図、第７図に示すような端子５の位置になるため、内側コイル２Ａは端子に邪魔される事なく巻線作業をすることができる。さらに内側巻線２Ａの中央部には端子支持筒の円筒部が位置するために、内側巻線２Ａはスロット１１の底部に挿入する事が可能である。
　このように、全ての内側巻線２Ａを巻装した後、外側巻線２Ｂを巻装する。この外側巻線２Ｂの巻装に際しては、全てに内側巻線２Ａが巻装されている為に端子５が巻線の邪魔になる事はなく、容易に巻線作業を行うことができる。
　次に巻装時の主コイルＭ、補助コイルＡの関係であるが、本発明では各々の巻装開始時の主コイルＭ、補助コイルＡが交差しない様に、第７図に示すように端子５の位置を反時計回りに端子Ｍ、端子Ａ、端子Ｃの配置にし、太線で示すように、巻線の端部を接続している。」（第２頁右上欄第４行目〜同頁左下欄第２０行目）
　上記の記載を参酌すれば、刊行物２には、端子５及び端子支持筒３に設けた前記端子５を挿入するために形成した溝部１０とを備え、固定子巻線２の各磁極に対する各相の巻線の巻線作業を上記各端子５の内の所定のものを介して行うようにしたアウタロータ形回転電機の固定子において、上記各端子５は夫々本体の略中央部から１８０度折り返すように突起部７を設けた後、突起部７とこれに対向する本体間の間隙を固定子巻線又はそのコイル端挿入用の空間部となし、本体の端子５に抜け止め用の引掛部８を形成するようにしたものが記載されているものと認められる。
３．対比
　そこで、本願発明と刊行物１に記載されたものとを対比する。
　刊行物１における「プリント基板２６」、「支持体２５ａ１〜２５ａ５」及び「嵌合部」は、本願発明における「回路基板」、「位置決め部」及び「位置決め嵌合部」に相当するものと認められる。
　したがって、両者は「固定子鉄心に対して軸方向の両端側から装着される回路基板側及び反回路基板側に配置される１対の絶縁成型品、上記回路基板側の絶縁成型品に設けた位置決め部及び回路基板とを備え、上記回路基板に上記回路基板側の絶縁成型品の位置決め部に対応する位置決め嵌合部を設け、このように構成した固定子鉄心、１対の絶縁成型品から成る固定子本体と上記回路基板とを上記回路基板の位置決め嵌合部と回路基板側の絶縁成型品の位置決め部とを対向位置において挿入、装着した回転電機の固定子」である点で一致しており、次の点で相違している。
　相違点１
　本願発明は、アウタロータ形回転電機の固定子において、６個の端子体を有し、固定子巻線の各磁極に対する各相の巻線の巻線作業を上記各端子体の内の所定のものを介して行うようにし、上記各端子体は夫々本体の略中央部から１８０度折り返すように折り返し部を設けた後、本体より分岐した本体よりは幅の小さい所定角度傾斜させた部分とこれに連通する平行となる部分より成る足部を備え、平行となる足部の部分とこれに対向する本体間の間隙を固定子巻線又はそのコイル端挿入用の空間部となし、本体の端子体挿入方向の少なくとも一側面部に鋸歯状となる凹凸部分を形成しているのに対し、刊行物１に記載されたものでは端子体を有していない点。
　相違点２
　本願発明は、回路基板側の絶縁成型品のボス部に、端子体を挿入するために形成した６個の切欠部を設けているのに対し、刊行物１に記載されたものでは切欠部を有していない点。
　相違点３
　本願発明は、回路基板に上記６個の端子体に対応した６個の端子体装着用の切欠部を設け、固定子本体と回路基板とを装着後、所要の電気的接続を行っているのに対し、刊行物１に記載されたものでは切欠部を有していない点。
４．判断
　そこで、上記各相違点について検討する。
　相違点１について、アウタロータ形回転電機の固定子において、端子体を有し、固定子巻線の各磁極に対する各相の巻線の巻線作業を上記各端子体の内の所定のものを介して行うようにし、上記各端子体は夫々本体の略中央部から１８０度折り返すように折り返し部を設けた後、折り返し部とこれに対向する本体間の間隙を固定子巻線又はそのコイル端挿入用の空間部となし、本体の端子体に抜け止め用の引掛部を形成するようにしたものは刊行物２に記載されている（ここにおいて、刊行物２における「端子５」、「溝部１０」及び「突起部７」は、本願発明における「端子体」、「切欠部」及び「折り返し部」に相当するものと認められる。）。
　また、折り返し部の構成として、本体より分岐した本体よりは幅の小さい所定角度傾斜させた部分とこれに連通する平行となる部分より成る足部を備えるものは、従来周知の技術的事項である（必要であれば、実願昭６３−１２７９５５号（実開平２−４９３７３号）のマイクロフィルム（第３図、第４図及び第１７図）、特開平３−２１８２３６号公報（第１〜５図）参照）。
　さらに、端子体の本体の端子体挿入方向の側面部に鋸歯状となる凹凸部分を形成することは、従来周知の技術的事項である（必要であれば、実願昭５９−１８４５１４号（実開昭６１−９８３５５号）のマイクロフィルム（第７図、第８図及び第１６図）参照）。
　したがって、刊行物１に記載されたものにおいて、巻線端末部を巻き付けるために刊行物２に記載された端子体を採用し、折り返し部の構成として、本体より分岐した本体よりは幅の小さい所定角度傾斜させた部分とこれに連通する平行となる部分より成る足部を備え、端子体の本体の端子体挿入方向の側面部に鋸歯状となる凹凸部分を形成し、本願発明のように構成する程度のことは当業者であれば容易になし得るものと認められる。
　相違点２について、端子体を挿入するために端子支持筒３に切欠部を設けたものが刊行物２に記載されている（ここにおいて、刊行物２における「端子５」及び「溝部１０」は、本願発明における「端子体」及び「切欠部」に相当するものと認められる。）。
　ここで、刊行物２に記載されている端子支持筒３は、固定子鉄心１の一端中心部から軸方向に延びる円筒状の端子ホルダであり、この端子支持筒３の端子体挿入用の切欠部は固定鉄心１から離れた側の端部に設けられており（第１〜５図参照）、その配置構成からみて、刊行物２に記載された端子支持筒３の切欠部は、本願発明の回路基板側の絶縁成型品のボス部に設けられた切欠部に相当するものと認められる。
　また、刊行物１に記載されたものにおいて、回路基板側の絶縁成型品にボス部を設けることは、回路基板を組み付ける際に必要に応じてなし得るものであり、単なる設計事項に過ぎないものと認められる。
　さらに、切欠部の個数は、回転電機の相数によって適宜選択されるものであり、単なる設計事項に過ぎない。
　してみれば、刊行物１に記載されたものにおいて、巻線端末部を巻き付けるために端子体を採用するに際し、切欠部はその端子体を挿入するものとして必要不可欠の構成であるが、その切欠部を回路基板側の絶縁成型品のボス部に設け、本願発明のように構成する程度のことは当業者であれば引用例２に記載されたものに基づいて容易になし得るものと認められる。
　相違点３について、刊行物１には、回路基板に回路基板側の絶縁成型品の位置決め部に対応する位置決め嵌合部を設けたものが記載されているが、これと同様に、回路基板に回路基板側の絶縁成型品のボス部に設けられた切欠部に対応する位置に端子体装着用の切欠部を設ける程度のことは、当業者ならば必要に応じて適宜なし得るものと認められる。
　また、固定子本体と回路基板とを装着後、必要な電気的接続を行うことは、単なる設計事項に過ぎず、格別の顕著性はないものと認められる。
　よって、刊行物１に記載されたものにおいて、巻線端末部を巻き付けるために端子体を採用し、それに関連する構成として回路基板側の絶縁成型品のボス部に端子体挿入用の切欠部を、回路基板に端子体装着用の切欠部をそれぞれ設け、本願発明のように構成する程度のことは、刊行物２に記載されたものから当業者ならば容易になし得たことと認められる。そして、本願発明は、上記構成を採ることにより格別の効果を奏しているものとも認められない。
５．むすび
　したがって、本願発明は、刊行物１及び刊行物２に基いて、当業者が容易に発明をすることができたものであるから、特許法第２９条第２項の規定により特許を受けることができない。
　よって、結論のとおり審決する。